(57)【特許請求の範囲】
【請求項１】
汚物を受けるボウル部と、前記ボウル部の下部から後方へ上昇する上昇管路及び前記上昇管路から鉛直方向に下降する下降管路を有し溜水を規定する排水トラップ管路と、を備えた洗い落とし式水洗大便器において、
前記下降管路は、該下降管路を流れる洗浄水の流れを遅滞させる窪み部を備え、
前記窪み部は、下方に向けて水平方向の流路断面が順次拡大する拡大部及び、前記拡大部の下方に形成された水受け部を備え、
前記水受け部は、前記拡大部の下方に位置する前記拡大部の下端よりも水平方向の流路断面が小さい縮小部までの流路断面が下方に向かうほど順次小さくなるよう構成されているとともに、前記水受け部の形状が、前記拡大部から下方に向かって連続して傾斜するよう構成され、
さらに、前記窪み部は、前記下降管路の中心軸を介して対向して設けられていることを特徴とする、洗い落とし式水洗大便器。
【請求項２】
前記窪み部は、前記下降管路の中心軸の周方向全周に形成されている請求項１に記載の洗い落とし式水洗大便器。
【請求項３】
前記上昇管路に対して前記下降管路が設けられている前後方向の前記窪み部の幅よりも、前記前後方向と直交する左右方向の窪み部の幅が、大きく形成されている請求項２に記載の洗い落とし式水洗大便器。
【請求項４】
前記水受け部は、前記排水トラップ管路の入口部の流路中心よりも低い位置に形成され
ている請求項１から請求項３のいずれか１項に記載の洗い落とし式水洗大便器。
【発明の詳細な説明】
【技術分野】
【０００１】
本発明は、洗浄水源から供給された洗浄水によって汚物を排出する水洗大便器に関する。
【背景技術】
【０００２】
従来から、水洗大便器の種類の中で、サイホン作用を生じさせない便器として、洗い落とし式水洗大便器が知られている。このような従来の洗い落とし式便器は、サイホン作用を生じて便器を洗浄するサイホン式便器に比べて、水の落差による流水作用で汚物を押し流す方式で構造がシンプルであり、且つ安価であるという利点がある。また、このような洗い落とし式水洗大便器においても、洗浄水の節水が要請されている。
【０００３】
また、従来から、洗い落とし式水洗大便器の便器本体の排水トラップ管路と床下排水管を接続する排水ソケットとして、便器本体の排水トラップ管路の出口部に接続される便器本体側接続管部材と、床下排水管の入口部と接続され、屈曲管路を有した床下側接続管部材と、便器本体側接続管部材と床下側接続管部材を接続するほぼ直線状に延びる中間管部材と、を備えた排水ソケットが知られている（例えば、特許文献１参照）。
このような従来の排水ソケットにおいて、排水ソケット内を排水や汚物、ペーパーなどがシールしてサイホン作用が発生することで、上流側の排水を下流側に引き込もうとする負圧が発生するため、負圧抑制手段が排水ソケットの屈曲管路に設けられている。
【先行技術文献】
【特許文献】
【０００４】
【特許文献１】特開２０１１−１７９１８７号公報
【発明の概要】
【発明が解決しようとする課題】
【０００５】
しかしながら、上述した従来の排水ソケットを備えた水洗大便器では、排水ソケットよりも上流側である水洗大便器の排水トラップ管路内を排水がシールして満水となり、上流側の排水が下流側へ引き込まれてしまう懸念がある。その結果、水洗大便器内の封水が下流に引き込まれて破封するもしくは封水が減少するという懸念がある。
このように、水洗大便器内の封水が破封するもしくは封水が減少すると、その分の量の洗浄水を加えなければならず、従来から便器に要請されている節水化のニーズに反してしまう。
【０００６】
そこで、本発明は、上記課題を解決するためになされたものであり、水洗大便器の排水トラップ管路が排水や汚物、ペーパーなどでシールされることによって発生するサイホンを抑制することができる水洗大便器の提供を目的としている。
【課題を解決するための手段】
【０００７】
本発明の一態様に係る水洗大便器は、汚物を受けるボウル部と、ボウル部の下部から後方へ上昇する上昇管路及び上昇管路から鉛直方向に下降する下降管路を有し溜水を規定する排水トラップ管路と、を備えた洗い落とし式水洗大便器において、下降管路は、該下降管路を流れる洗浄水の流れを遅滞させる窪み部を備え、窪み部は、下方に向けて水平方向の流路断面が順次拡大する拡大部及び、拡大部の下方に形成された水受け部を備え、水受け部は、拡大部の下方に位置する拡大部の下端よりも水平方向の流路断面が小さい縮小部までの流路断面が下方に向かうほど順次小さくなるよう構成されているとともに、水受け部の形状が、拡大部から下方に向かって連続して傾斜するよう構成され、さらに、窪み部は、下降管路の中心軸を介して対向して設けられていることを特徴とする。
【０００８】
この構成によれば、排水トラップ管路の下降管路に窪み部が設けられていることで、上昇管路から下降管路へ排水された洗浄水の一部が窪み部に流れ込む。これにより、窪み部を設けない場合と比べて、下降管路を流れる洗浄水の流れが遅滞する。そのため、排水トラップ管路の流路が排水や汚物、ペーパーなどでシールされることによって発生するサイホンを抑制することができる。
【００１１】
本発明の本発明の一態様に係る水洗大便器において、好ましくは、窪み部は、下降管路の中心軸の周方向全周に形成されている。
【００１２】
この構成によれば、窪み部は下降管路の中心軸の周方向全周に形成されているので、下降管路を流れるより多くの洗浄水が窪み部に流れこむ。これにより、下降管路を流れる洗浄水の流れが遅滞され、排水トラップ管路の流路が排水や汚物、ペーパーなどでシールされることによって発生するサイホンをより確実に抑制することができる。
【００１３】
本発明の本発明の一態様に係る水洗大便器において、好ましくは、上昇管路に対して下降管路が設けられている前後方向の窪み部の幅よりも、前記前後方向と直交する左右方向の窪み部の幅が大きく形成されている。
【００１４】
この構成によれば、前後方向の窪み部の幅よりも左右方向の窪み部の幅が大きく形成されているので、水洗大便器の前後方向の長さを長くせずに、下降管路の左右方向のデッドスペースを有効活用することができる。そのため、水洗大便器全体の寸法をコンパクトにしつつ、排水トラップ管路の流路が排水や汚物、ペーパーなどでシールされることによって発生するサイホンを抑制することができる。
【００１５】
本発明の本発明の一態様に係る水洗大便器において、好ましくは、水受け部は、排水トラップ管路の入口部の流路中心よりも低い位置に形成されている。
【００１６】
この構成によれば、水受け部は排水トラップ管路の入口部の流路中心よりも低い位置に形成されているため、高さ方向に十分な空間が形成される。つまり、窪み部をより大きく形成することができる。そのため、排水トラップ管路の流路が排水や汚物、ペーパーなどでシールされることによって発生するサイホンをより確実に抑制することができる。
【発明の効果】
【００１９】
本発明によれば、水洗大便器において、水洗大便器の排水トラップ管路が排水や汚物、ペーパーなどでシールされることによって発生するサイホンを抑制することができる。
【図面の簡単な説明】
【００２０】
【図１】本発明の一実施形態に係る水洗大便器の概略断面図である。
【図２】本発明の一実施形態に係る排水トラップ管路の概略断面図である。
【図３】図２のＡ−Ａ線に沿って見た断面図である。
【図４】図２のＢ−Ｂ線に沿って見た断面図である。
【図５】図２のＣ−Ｃ線に沿って見た断面図である。
【図６】本発明の一実施形態に係る排水トラップ管路内の流れを模式的に表した排水トラップ管路の概略断面図である。
【図７】本発明の変形例に係る下降管路の中心軸と排出口の中心軸とが偏心している場合の排水トラップ管路の概略断面図である。
【図８】図７のＤ−Ｄ線に沿って見た断面図である。
【図９】本発明の変形例に係る下降管路の中心軸と排出口の中心軸とが一致している場合において、水受け部に溝が形成されている場合の排水トラップ管路の概略断面図である。
【図１０】図９のＥ−Ｅ線に沿って見た断面図である。
【図１１】本発明の変形例に係る下降管路の中心軸と排出口の中心軸とが偏心している場合において、水受け部に溝が形成されている場合の排水トラップ管路の概略断面図である。
【図１２】図１１のＦ−Ｆ線に沿って見た断面図である。
【発明を実施するための形態】
【００２１】
以下、本発明の実施の形態について添付図面を参照しながら説明する。なお、各図面中、同様の構成要素には同一の符号を付して詳細な説明は適宜省略する。
【００２２】
＜水洗大便器の構成＞
まず、図１を参照して、本発明の実施形態に係る水洗大便器について説明する。なお、本実施例では、洗い落とし式の水洗大便器について説明する。
【００２３】
図１は、本発明の一実施形態に係る水洗大便器の概略断面図である。なお、図１において、溜水の水位がＷＬで示されている。また、下降管路１８あるいは排出口２０の中心軸がＸで示されている。
【００２４】
図１に示すように、洗い落とし式である水洗大便器１は、汚物を受けるボウル部２と、ボウル部２の下部から延びる排水トラップ管路４と、便器洗浄に使用される洗浄水を貯水してボウル部２へ供給する洗浄水源である重力給水式の貯水タンク（図示せず）と、を備えている。水洗大便器１の上面には、貯水タンクからの洗浄水を水洗大便器１へ供給するための給水口６が開口している。このボウル部２には、貯水タンクから供給される洗浄水を吐水するリム吐水口８が形成されている。
【００２５】
ここで、本実施形態では、水洗大便器１が設けられる床面に沿う方向を水平方向、これと直交する方向を鉛直方向ということにする。
また、床面に対して水洗大便器１が設けられる方向を上方向（上方）、これと反対側を下方向（下方）、ボウル部２に対して給水口６が設けられる側を後方向（後方）、これと反対側を前方向（前方）、上下方向及び前後方向と直交する方向のうち後方に向いて右側を右方向（右方）、左側を左方向（左方）、ということにする。
【００２６】
ボウル部２は、ボウル形状の汚物受け面１０と、汚物受け面１０の下縁部１０ａから下方へ形成されて排水トラップ管路４に接続される凹部１２と、ボウル部２の上縁部に沿って形成されたリム部１４と、を備えている。
【００２７】
リム吐水口８は、ボウル部２の上部後方に形成されており、洗浄水をこのリム吐水口８からボウル部２の上部に形成されるリム部１４の内周面１４ａに沿って前方に吐出する。リム吐水口８から吐水された洗浄水は、汚物受け面１０を旋回する旋回流を形成し、凹部１２に流れ込む。
【００２８】
ボウル部２と排水トラップ管路４とは、一体的に形成されており、ボウル部２の汚物受け面１０の凹部１２の後方且つ下方には、排水トラップ管路４のトラップ管路入口部４ａが開口している。
【００２９】
＜排水トラップ管路の構成＞
つぎに、図２〜図５を参照して、本発明の実施形態に係る排水トラップ管路４について説明する。
【００３０】
図２は、本発明の一実施形態に係る排水トラップ管路の概略断面図である。図３は、図２のＡ−Ａ線に沿って見た断面図である。図４は、図２のＢ−Ｂ線に沿って見た断面図である。図５は、図２のＣ−Ｃ線に沿って見た断面図である。なお、図２において、下降管路１８の中心軸ＸはＡ−Ａ線と重なっている。また、図３において、下降管路１８および排出口２０の中心軸がＸで示されている。
【００３１】
図２に示すように、排水トラップ管路４は、ボウル部２の下部に形成されたトラップ管路入口部４ａから後方へ上昇する上昇管路１６と、上昇管路１６から下降する下降管路１８を有している。また、ボウル部２の下部及び上昇管路１６の一部には溜水が規定されている（図１参照）。
【００３２】
上昇管路１６は、トラップ管路入口部４ａの上方且つ後方へ延び、この上昇管路１６から鉛直方向下方に延びる下降管路１８が連続している。上昇管路１６と下降管路１８との間には、排水トラップ管路４の流路底面位置の最高位置であるトラップ管路頂部４ｂが形成されている。また、下降管路１８の下流端部には、排水トラップ管路４内の水を排出するための排出口２０が設けられている。
【００３３】
下降管路１８は、下方に向けて水平方向の流路断面が順次拡大する拡大部２２と、拡大部２２の下流側に設けられ、拡大部２２の下端よりも水平方向の流路断面が縮小する縮小部２４と、拡大部２２と縮小部２４とを接続する水受け部２６と、を有している。
【００３４】
図２及び図３に示すように、拡大部２２は、トラップ管路頂部４ｂを介して上昇管路１６から連続して形成され、トラップ管路頂部４ｂの下流端部から鉛直下方に延びるように流路を形成している。また、拡大部２２は、上流から下流に向けて（下方に向けて）、下降管路１８の中心軸Ｘから遠ざかる水平方向に向けて流路が順次拡大するように形成されている。つまり、図４及び図５に示すように、拡大部２２は下降管路１８の全周に亘って形成され、下流へ向かうほど拡大部２２の水平方向の流路断面が大きくなる。なお、下降管路１８の全周とは、下降管路１８の中心軸Ｘの周方向である。
【００３５】
図２にもどって、拡大部２２の下流側には、後述する水受け部２６の下流端部から連続して形成され、鉛直下方に延びる円筒状の縮小部２４が設けられている。縮小部２４の水平方向の流路断面は、拡大部２２の下端の水平方向の流路断面よりも小さく、かつ上昇管路１６の流路断面と略同一に形成されている。また、縮小部２４の下流端部には排出口２０が開口しており、この排出口２０と、床下に設けられた床下排水管の入口部（図示せず）とが、排水ソケット（図示せず）によって接続される。
【００３６】
拡大部２２と縮小部２４との間には、拡大部２２の下端の内壁全周から縮小部２４（下降管路１８の中心軸Ｘ）に向かう方向へ水受け部２６が形成されている。この水受け部２６は、拡大部２２と縮小部２４とを接続し、拡大部２２内を流下してくる洗浄水を受けて、受けた洗浄水を縮小部２４へ導く。また、水受け部２６は、トラップ管路入口部４ａよりも低い位置に形成されており、拡大部２２の下端の内壁全周から縮小部２４に向かって下方へ傾斜している。
【００３７】
拡大部２２と水受け部２６とによって、下降管路１８を流れる洗浄水を遅滞させる窪み部２８が形成されている。窪み部２８は、水受け部２６の上方における空間であり、水受け部２６の上面と拡大部２２によって規定される。また、窪み部２８は、水受け部２６の上方において、下降管路１８の中心軸Ｘの周方向全体に形成されており、この窪み部２８に洗浄水の一部が流れ込むことで、下降管路１８を流れる洗浄水の流れを遅滞させる。
【００３８】
図４及び図５に示すように、拡大部２２は、前後方向の幅よりも左右方向の幅が下方に向けて大きく拡大するように形成されている。また、水受け部２６も前後方向の幅よりも左右方向の幅が大きく形成されている。つまり、上昇管路１６に対して下降管路１８が設けられている前後方向の窪み部２８の幅よりも、左右方向の窪み部２８の幅が大きく形成されている。
【００３９】
＜動作及び作用＞
つぎに、図６を参照して、本発明の実施形態に係る排水トラップ管路４内の水の流れについて説明する。
【００４０】
図６は、本発明の一実施形態に係る排水トラップ管路内の流れを模式的に表した排水トラップ管路の概略断面図である。
【００４１】
まず、図示しない操作部からの指令により、便器の洗浄が開始されると、貯水タンク（図示せず）の洗浄水が、給水口６を介して水洗大便器１内へ供給される。水洗大便器１内へ供給された洗浄水は、ボウル部２に形成されているリム吐水口８から吐水される。ボウル部２内が旋回流よって洗浄された後、リム吐水口８から吐水された洗浄水は、水の落差による流水作用で汚物を排水トラップ管路４のトラップ管路入口部４ａから上昇管路１６に排出する。図６に示すように、上昇管路１６内に汚物と共に排出された洗浄水（以降、汚物と共に排出された洗浄水を単に洗浄水と呼称することとする）は、上昇管路１６を上昇してトラップ管路頂部４ｂに至り、下降管路１８に向かって流される（Ｆ１）。
【００４２】
上昇管路１６から下降管路１８へ流れ込んだ洗浄水Ｆ１は、まず拡大部２２へ流入する（Ｆ２〜Ｆ４）。上昇管路１６から下降管路１８へ流れ込む洗浄水Ｆ１の流量が少ないとき、例えば、便器の洗浄開始から所定時間の間は、拡大部２２の前方側の流路壁面に沿って流下する（Ｆ２）。ここで、下降管路１８には拡大部２２が設けられているため、上昇管路１６から下降管路１８へ流れ込む洗浄水Ｆ１の流量が増加すると、拡大部２２の上方から下方に向かって洗浄水が流路全体に広がりながら流下する（Ｆ２〜Ｆ４）。なお、図示は省略するが、拡大部２２によって、図３における左右方向にも洗浄水が広がりながら流下する。
【００４３】
拡大部２２によって下降管路１８の流路全体に広がりながら流下した洗浄水の一部は、窪み部２８へ流入する。窪み部２８へ流入しなかった洗浄水は、拡大部２２からそのまま縮小部２４へ流下して、排出口２０から排出される（Ｆ６）。窪み部２８へ流入した洗浄水Ｆ２及びＦ４は、窪み部２８へ流入せずに拡大部２２からそのまま縮小部２４へ流下した洗浄水に比べて、流れが遅滞される。
【００４４】
窪み部２８内へ流入し、流れが遅滞された洗浄水は、水受け部２６に当たる。その後、水受け部２６に沿いながら縮小部２４へ流れ込む（Ｆ５、Ｆ７）。ここで、水受け部２６は縮小部２４に向かって下方へ傾斜しているため、水受け部に当たった洗浄水は縮小部２４へスムーズに洗浄水が流れる。そして、縮小部２４へ流入した洗浄水は、縮小部２４内を流下し、排出口２０から排出される。
【００４５】
窪み部２８によって下降管路１８を流下する洗浄水の流れが遅滞されることによって、窪み部２８を形成しない場合よりも、下降管路１８内を流れる流量が最大となる時間を遅らせつつ、下降管路１８内を流れる瞬間流量の最大値が小さくなる。言い換えると、窪み部２８が形成されている場合は、窪み部２８が形成されていない場合よりも長い時間をかけて下降管路１８内を洗浄水が流れる。
【００４６】
上述した本発明の一実施形態による水洗大便器１によれば、排水トラップ管路４の下降管路１８に窪み部２８が設けられていることで、上昇管路１６から下降管路１８へ排水された洗浄水の一部が窪み部２８に流れ込む。これにより、窪み部２８を設けない場合と比べて、下降管路１８を流れる洗浄水の流れが遅滞する。そのため、排水トラップ管路４の流路が排水や汚物、ペーパーなどでシールされることによって発生するサイホンを抑制することができる。
【００４７】
また、上述した本発明の一実施形態による水洗大便器１によれば、拡大部２２と縮小部２４とを接続する水受け部２６が縮小部２４に向かって下方へ傾斜しているので、窪み部２８によって遅滞された洗浄水を縮小部２４に向かってスムーズに導くことができる。そのため、排水トラップ管路４の排出性能を損なうことなく、排水トラップ管路４の流路が排水や汚物、ペーパーなどでシールされることによって発生するサイホンを抑制することができる。
【００４８】
さらに、上述した本発明の一実施形態による水洗大便器１によれば、窪み部２８は下降管路１８の中心軸Ｘの周方向全周に形成されているので、下降管路１８を流れるより多くの洗浄水が窪み部２８に流れこむ。これにより、下降管路１８を流れる洗浄水の流れが遅滞され、排水トラップ管路４の流路が排水や汚物、ペーパーなどでシールされることによって発生するサイホンをより確実に抑制することができる。
【００４９】
また、上述した本発明の一実施形態による水洗大便器１によれば、前後方向の窪み部２８の幅よりも左右方向の窪み部２８の幅が大きく形成されているので、水洗大便器１の前後方向の長さを長くせずに、下降管路１８の左右方向のデッドスペースを有効活用することができる。そのため、水洗大便器１全体の寸法をコンパクトにしつつ、排水トラップ管路４の流路が排水や汚物、ペーパーなどでシールされることによって発生するサイホンを抑制することができる。
【００５０】
さらに、上述した本発明の一実施形態による水洗大便器１によれば、水受け部２６は排水トラップ管路４のトラップ管路入口部４ａの流路中心よりも低い位置に形成されているため、高さ方向に十分な空間が形成される。つまり、窪み部２８をより大きく形成することができる。そのため、排水トラップ管路４の流路が排水や汚物、ペーパーなどでシールされることによって発生するサイホンをより確実に抑制することができる。
【００５１】
＜変形例＞
以上、本発明の実施形態について説明したが、本発明は、上述した実施形態に限定されるものではない。
【００５２】
例えば、下降管路１８の中心軸と排出口２０の中心軸とが一致している構成を説明したが、下降管路１８の中心軸と排出口２０の中心軸とが偏心していてもよい。
【００５３】
ここで、図７及び図８を参照して、下降管路１８の中心軸と排出口２０の中心軸とが偏心した排水トラップ管路４について説明する。
なお、図７及び図８において、上述した本発明の一実施形態による水洗大便器１と同一部分については同一の符号を付し、それらの説明は省略する。
【００５４】
図７は、本発明の変形例に係る下降管路の中心軸と排出口の中心軸とが偏心している場合の排水トラップ管路の概略断面図である。図８は、図７のＤ−Ｄ線に沿って見た断面図である。なお、図７において、下降管路１８の中心軸ＹはＤ−Ｄ線と重なっており、排出口２０の中心軸がＺで示されている。また、図８において、下降管路１８の中心軸がＹで示されている。
【００５５】
図７に示すように、上昇管路１６は、トラップ管路入口部４ａの上方且つ後方へ延び、この上昇管路１６から鉛直方向下方に延びる下降管路１８が連続している。上昇管路１６と下降管路１８との間には、排水トラップ管路４の流路底面位置の最高位置であるトラップ管路頂部４ｂが形成されている。また、下降管路１８の下流端部には、下降管路１８の中心軸Ｙから偏心した位置に排出口２０が設けられている。この排出口２０の中心軸Ｚは、下降管路１８の中心軸Ｙよりも前方側に位置している。
【００５６】
下降管路１８は、下方に向けて水平方向の流路断面が順次拡大する拡大部２２と、拡大部２２の下流側に設けられ、流路が水平方向から鉛直方向へ屈曲している屈曲部３０と、拡大部２２と屈曲部３０とを接続する水受け部２６と、屈曲部３０の下流端部から連続して形成され、拡大部２２の下端よりも水平方向の流路断面が縮小する縮小部と、を有している。
【００５７】
図７及び図８に示すように、拡大部２２は、トラップ管路頂部４ｂを介して上昇管路１６から連続して形成され、トラップ管路頂部４ｂの下流端部から鉛直下方に延びるように流路を形成している。また、拡大部２２は上流から下流に向けて（下方にむけて）、下降管路１８の中心軸Ｙから遠ざかる水平方向に向けて流路が拡大するように形成されている。つまり、拡大部２２は下降管路１８の全周に亘って形成され、下流へ向かうほど拡大部２２の水平方向の流路断面がおおきくなる。なお、下降管路１８の全周とは、下降管路１８の中心軸Ｙの周方向である。
【００５８】
屈曲部３０は、拡大部２２の下流端部及び水受け部２６から図７における前方側に向かって連続して形成されている。拡大部２２の下流端部における前方側の内壁には、屈曲部３０の入口部３０ａが設けられている。屈曲部３０の流路断面は、拡大部２２の下端の水平方向の流路断面よりも小さく形成されている。また、屈曲部３０の下流端部には縮小部２４が連続して形成されている。
【００５９】
拡大部２２と屈曲部３０との間には、拡大部２２の下端の内壁全周から屈曲部３０の入口部３０ａに向かう方向へ水受け部２６が形成されている。この水受け部２６は、拡大部２２と屈曲部３０とを接続し、拡大部２２内を流下してくる洗浄水を受けて、受けた洗浄水を屈曲部３０へと導く。また、水受け部２６は、トラップ管路入口部４ａよりも低い位置に形成されており、拡大部２２の下端の内壁全周から屈曲部３０の入口部３０ａに向かって下方へ傾斜している。
【００６０】
縮小部２４は、屈曲部３０の下流端部から鉛直下方に延びる円筒状の管路であり、縮小部２４の流路断面は、上昇管路の流路断面と略同一に形成されている。また、縮小部２４の下流端部には排出口２０が開口しており、この排出口２０と、床下に設けられた床下排水管の入口部（図示せず）とが、排水ソケット（図示せず）によって接続される。
なお、本変形例においては、縮小部２４及び屈曲部３０が、上述した本発明の一実施形態における縮小部としての機能を果たす。
【００６１】
拡大部２２と水受け部２６とによって、下降管路１８を流れる洗浄水を遅滞させる窪み部２８が形成される。窪み部２８は、水受け部２６の上方における空間であり、水受け部２６の上面と拡大部２２によって規定される。また、窪み部２８は、水受け部２６の上方において、下降管路１８の中心軸Ｙの周方向全体に形成されており、この窪み部２８に洗浄水の一部が流れ込むことで、下降管路１８を流れる洗浄水の流れを遅滞させる。
【００６２】
なお、本変形例においても、拡大部２２は、前後方向の幅よりも左右方向の幅が下方に向けて大きく拡大するように形成されている。また、水受け部２６も前後方向の幅よりも左右方向の幅が大きく形成されている。つまり、上昇管路１６に対して下降管路１８が設けられている前後方向の窪み部２８の幅よりも、左右方向の窪み部２８の幅が大きく形成されている。
【００６３】
また、例えば、水受け部２６には、水受け部２６の前後方向に延びるＵ字型もしくはＶ字型の溝が形成されていてもよい。
【００６４】
ここで、図９及び図１０を参照して、本発明の変形例に係る下降管路の中心軸と排出口の中心軸とが一致している場合において、水受け部２６に前後方向に延びるＵ字型の溝が形成されている構成を説明する。
なお、図９及び図１０において、上述した本発明の一実施形態による水洗大便器１と同一部分については同一の符号を付し、それらの説明は省略する。
【００６５】
図９は、本発明の変形例に係る下降管路の中心軸と排出口の中心軸とが一致している場合において、水受け部に溝が形成されている場合の排水トラップ管路の概略断面図である。図１０は、図９のＥ−Ｅ線に沿って見た断面図である。
【００６６】
図９に示すように、水受け部２６には、水受け部２６の前後方向に延びるＵ字型の溝３２が形成されている。溝３２は、Ｕ字型を形成するように上方から下方に向かって凹んでおり、水受け部２６の前方端部もしくは後方端部から縮小部２４に向かう方向に形成されている。水受け部２６は、縮小部２４に向かう方向に下方へ傾斜しているとともに、図１０に示すように、溝３２に向かう方向にも下方へ傾斜している。
【００６７】
水受け部２６に溝３２が形成されていることにより、水受け部２６で受けた洗浄水の多くは溝３２へ流れ込む。そのため、縮小部２４の中央により洗浄水を集めることができるので、下降管路１８内の流れをスムーズにすることができる。
【００６８】
つぎに、図１１及び図１２を参照して、下降管路の中心軸と排出口の中心軸とが偏心している場合において、水受け部２６に前後方向に延びるＵ字型の溝が形成されている構成を説明する。
なお、図１１及び図１２において、上述した本発明の一実施形態による水洗大便器１と同一部分については同一の符号を付し、それらの説明は省略する。
【００６９】
図１１は、本発明の変形例に係る下降管路の中心軸と排出口の中心軸とが偏心している場合において、水受け部に溝が形成されている場合の排水トラップ管路の概略断面図である。図１２は、図１１のＦ−Ｆ線に沿って見た断面図である。
【００７０】
図１１に示すように、水受け部２６には、水受け部２６の前後方向に延びるＵ字型の溝３２が形成されている。溝３２は、Ｕ字型を形成するように上方から下方に向かって凹んでおり、水受け部２６の後方端部から屈曲部３０に向かう方向に形成されている。水受け部２６は、屈曲部３０に向かう方向に下方へ傾斜しているとともに、図１２に示すように、溝３２に向かう方向にも下方へ傾斜している。
【００７１】
水受け部２６に溝３２が形成されていることにより、水受け部２６で受けた洗浄水の多くは溝３２へ流れ込む。そのため、縮小部２４の中央により洗浄水を集めることができるので、下降管路１８内の流れをスムーズにすることができる。
【００７２】
また、例えば、水洗大便器１へ洗浄水を供給する洗浄水源としては、上述した実施形態で示した重力給水源の貯水タンクのようなタンク式のものに限定されず、水道水の給水圧を直接利用した水道直圧式のものや、フラッシュバルブ式のものや、ポンプの補圧を利用して洗浄水を供給するものであってもよい。
【００７３】
また、例えば、水洗大便器１は洗い落とし式の便器としたが、これに限定されず、サイホン式便器に適用してもよい。その場合、水受け部２６で受けた洗浄水を縮小部２４に集めて縮小部２４をシールするように、水受け部２６の面の形状や傾斜角度が調整される。
【００７４】
また、例えば、拡大部２２は下降管路１８の全周に亘って形成されている構成を説明したが、これに限定されず、下降管路１８の中心軸から遠ざかる前後方向、左右方向のいずれか一つの方向に向かって窪むように形成されていてもよい。もしくは、前後方向、左右方向のいくつかを組み合わせた方向に形成されてもよい。
【００７５】
また、例えば、ボウル部２と排水トラップ管路４とは、一体的に形成されている構成を説明したが、これに限定されず、ボウル部２と排水トラップ管路４とは別体で形成されていてもよい。また、ボウル部２からトラップ管路頂部４ｂの下流端までを一体的成形し、窪み部が形成されている下降管路１８を別体で形成してもよい。
【００７６】
また、例えば、縮小部２４の流路断面は、上昇管路１６の流路断面と略同一に形成される構成を説明したが、拡大部２２の下端の水平方向の流路断面よりも小さく形成されていればよく、上昇管路１６の流路断面よりも小さく、または、大きく形成されていてもよい。
【００７７】
前述した各実施の形態が備える各要素は、技術的に可能な限りにおいて組み合わせることができ、これらを組み合わせたものも本発明の特徴を含む限り本発明の範囲に包含される。
【符号の説明】
【００７８】
１    水洗大便器
２    ボウル部
４    排水トラップ管路
４ａ  トラップ管路入口部
４ｂ  トラップ管路頂部
６    給水口
８    リム吐水口
１０    汚物受け面
１０ａ  下縁部
１２    凹部
１４    リム部
１６    上昇管路
１８    下降管路
２０    排出口
２２    拡大部
２４    縮小部
２６    水受け部
２８    窪み部
３０    屈曲部
３０ａ  入口部
３２    溝
ＷＬ    溜水水位
【図１】
0006627319.tif 000002
【図２】
0006627319.tif 000003
【図３】
0006627319.tif 000004
【図４】
0006627319.tif 000005
【図５】
0006627319.tif 000006
【図６】
0006627319.tif 000007
【図７】
0006627319.tif 000008
【図８】
0006627319.tif 000009
【図９】
0006627319.tif 000010
【図１０】
0006627319.tif 000011
【図１１】
0006627319.tif 000012
【図１２】
0006627319.tif 000013